(57)【要約】【課題】プリント注文のための注文データをラボに確実に送信するとともに、プリント注文の受付手続の効率化を図ることである。【解決手段】注文受付装置１は、プリント注文のデータを送信するための注文データ送信プログラム及び注文データを作成するための注文データ作成プログラムが分離されていることから、注文データ送信プログラムの実行に並行して、注文データ作成プログラムを実行することができる。従って、ラボへ注文データを送信している最中であっても、次のプリント注文の受付を可能にする。また、注文データ送信プログラムと注文データ作成プログラムが分離されていることから、注文データ作成プログラムが終了しても、注文データ送信プログラムによる注文データ送信が続行可能である。【選択図】　　　　　　図１
2004110167.tif 000002
【特許請求の範囲】
【請求項１】
画像のプリント注文の受付を行うための注文受付装置であって、
通信ネットワークを介して、画像のプリント生成を行うプリント生成装置に接続され、
画像のプリント注文に必要な注文データを作成する作成手段と、
前記作成手段により作成された注文データを、前記通信ネットワークを介して前記プリント生成装置に送信する送信手段と、
前記送信手段による前記注文データの送信が開始されると、前記作成手段による他の注文データの作成を開始するための制御を行う制御手段と、
を備えることを特徴とする注文受付装置。
【請求項２】
画像のプリント注文の受付を行うための注文受付装置であって、
通信ネットワークを介して、画像のプリント生成を行うプリント生成装置に接続され、
画像のプリント注文に必要な注文データを作成する作成手段と、
前記作成手段により作成された注文データを、前記通信ネットワークを介して前記プリント生成装置に送信する送信手段と、
前記作成手段による注文データの作成と、前記送信手段による注文データの送信とを分離して実行するための制御を行う制御手段と、
を備えることを特徴とする注文受付装置。
【請求項３】
前記作成手段により作成される注文データには、前記画像のプリント枚数のデータが含まれることを特徴とする請求項１又は２記載の注文受付装置。
【請求項４】
画像のプリント生成を行うプリント生成装置に通信ネットワークを介して接続された、プリント注文の受付を行うための注文受付装置を制御するコンピュータに、
画像のプリント注文に必要な注文データを作成する作成機能と、
前記作成機能により作成された注文データを、前記通信ネットワークを介して前記プリント生成装置に送信する送信機能と、
前記送信機能による前記注文データの送信が開始されると、前記作成機能による他の注文データの作成を開始するための制御を行う制御機能と、
を実現させるためのプログラム。
【請求項５】
画像のプリント生成を行うプリント生成装置に通信ネットワークを介して接続された、プリント注文の受付を行うための注文受付装置を制御するコンピュータに、
画像のプリント注文に必要な注文データを作成する作成機能と、
前記作成機能により作成された注文データを、前記通信ネットワークを介して前記プリント生成装置に送信する送信機能と、
前記作成機能による注文データの作成と、前記送信機能による注文データの送信とを分離して実行するための制御を行う制御機能と、
を実現させるためのプログラム。
【請求項６】
前記作成機能により作成される注文データには、前記画像のプリント枚数のデータが含まれることを特徴とする請求項４又は５記載のプログラム。
【発明の詳細な説明】
【０００１】
【発明の属する技術分野】
本発明は、画像のプリント注文の受付を行うための注文受付装置及びプログラムに関する。
【０００２】
【従来の技術】
近年、フィルムに記録された撮影画像や、ＣＤ−Ｒやメモリカード等の記録媒体に記録された画像データのプリントを行うプリントサービスが展開されている。プリント注文の受付方法は様々あるが、その一つとして、客自身が、プリントサービスを提供している写真専門店や取次店に出向き、店内に設置された注文受付装置を用いて受付手続を行う方法がある。この方法において注文受付装置は、客によって入力された注文内容に基づいて注文データを作成し、作成された注文データを、通信ネットワークを介して、実際にプリントを生成するラボに送信する。ラボでは、注文受付装置から受信した注文データに従ってプリントを生成する（例えば、特許文献１参照。）。
【０００３】
【特許文献１】
特開２００１−９２０３３号公報
【０００４】
【発明が解決しようとする課題】
しかしながら、従来の注文受付装置にあっては、注文データの送信が終了するまでは、次の客の注文受付を行うことができない仕組みになっていたため、受付手続の効率が悪いという問題があった。また、注文データが作成済みであっても、注文データの送信が完了する前に受付手続を終了させてしまうと、その注文データは消去されてしまうことがあったため、注文データをラボに確実に送信できないという問題があった。
【０００５】
本発明の課題は、プリント注文のための注文データをラボに確実に送信するとともに、プリント注文の受付手続の効率化を図ることである。
【０００６】
【課題を解決するための手段】
請求項１記載の注文受付装置は、
画像のプリント注文の受付を行うための注文受付装置であって、
通信ネットワークを介して、画像のプリント生成を行うプリント生成装置に接続され、
画像のプリント注文に必要な注文データを作成する作成手段と、
前記作成手段により作成された注文データを、前記通信ネットワークを介して前記プリント生成装置に送信する送信手段と、
前記送信手段による前記注文データの送信が開始されると、前記作成手段による他の注文データの作成を開始するための制御を行う制御手段と、
を備えることを特徴としている。
【０００７】
請求項２記載の注文受付装置は、
画像のプリント注文の受付を行うための注文受付装置であって、
通信ネットワークを介して、画像のプリント生成を行うプリント生成装置に接続され、
画像のプリント注文に必要な注文データを作成する作成手段と、
前記作成手段により作成された注文データを、前記通信ネットワークを介して前記プリント生成装置に送信する送信手段と、
前記作成手段による注文データの作成と、前記送信手段による注文データの送信とを分離して実行するための制御を行う制御手段と、
を備えることを特徴としている。
【０００８】
請求項３記載の注文受付装置は、請求項１又は２記載の注文受付装置において、
前記作成手段により作成される注文データには、前記画像のプリント枚数のデータが含まれることを特徴としている。
【０００９】
本発明の注文受付装置によれば、送信手段による注文データの送信が開始されると、作成手段による他の注文データの作成が可能になることで、プリント注文の受付手続の効率化を図ることができる。また、前の注文手続が終了して次の注文手続が開始されても、前の注文手続で作成された注文データをプリント生成装置に確実に送信することができる。
【００１０】
更に、作成手段による注文データの作成と、送信手段による注文データの送信とを分離して実行する制御手段を備えることにより、作成手段による注文データの作成が終了しても、送信手段による注文データ送信を続行することができるため、作成手段により作成された注文データを確実にプリント生成装置に送信することができる。
【００１１】
請求項４記載のプログラムは、
画像のプリント生成を行うプリント生成装置に通信ネットワークを介して接続された、プリント注文の受付を行うための注文受付装置を制御するコンピュータに、
画像のプリント注文に必要な注文データを作成する作成機能と、
前記作成機能により作成された注文データを、前記通信ネットワークを介して前記プリント生成装置に送信する送信機能と、
前記送信機能による前記注文データの送信が開始されると、前記作成機能による他の注文データの作成を開始するための制御を行う制御機能と、
を実現させる。
【００１２】
請求項５記載のプログラムは、
画像のプリント生成を行うプリント生成装置に通信ネットワークを介して接続された、プリント注文の受付を行うための注文受付装置を制御するコンピュータに、
画像のプリント注文に必要な注文データを作成する作成機能と、
前記作成機能により作成された注文データを、前記通信ネットワークを介して前記プリント生成装置に送信する送信機能と、
前記作成機能による注文データの作成と、前記送信機能による注文データの送信とを分離して実行するための制御を行う制御機能と、
を実現させる。
【００１３】
請求項６記載のプログラムは、請求項４又は５記載のプログラムにおいて、
前記作成機能により作成される注文データには、前記画像のプリント枚数のデータが含まれることを特徴としている。
【００１４】
本発明のプログラムによれば、送信機能による注文データの送信が開始されると、作成機能による他の注文データの作成が可能になることで、プリント注文の受付手続の効率化を図ることができる。また、前の注文手続が終了して次の注文手続が開始されても、前の注文手続で作成された注文データをプリント生成装置に確実に送信することができる。
【００１５】
更に、作成機能による注文データの作成と、送信機能による注文データの送信とを分離して実行する制御機能を備えることにより、作成機能による注文データの作成が終了しても、送信機能による注文データ送信を続行することができるため、作成機能により作成された注文データを確実にプリント生成装置に送信することができる。
【００１６】
【発明の実施の形態】
以下、図を参照して本発明の実施の形態を詳細に説明する。
まず、構成を説明する。
【００１７】
図１は、本発明を適用した注文受付装置１の主要部構成を示すブロック図である。注文受付装置１は、プリントサービスを提供している写真専門店や取次店に設置され、図１に示すように、ＣＰＵ１１、表示部１２、操作部１３、メディア入力部１４、記憶部１５、通信部１６により構成され、各部は、バス１７により接続されている。
【００１８】
ＣＰＵ１１は、記憶部１５に格納された各種処理プログラムに従って、各部の動作を集中制御する。具体的には、ＣＰＵ１１は、ラボへ注文データを送信するための注文データ送信プログラムを起動すると、次の注文の受付を行うための制御を行う。即ち、ＣＰＵ１１は、注文データ送信プログラムの実行に並行して、注文データを作成するための注文データ作成プログラムを実行できるように制御する（図２〜図４参照）。なお、ＣＰＵ１１は、特許請求の範囲における作成手段及び制御手段としての機能を有する。
【００１９】
表示部１２は、ＬＣＤ（Ｌｉｑｕｉｄ　Ｃｒｙｓｔａｌ　Ｄｉｓｐｌａｙ）やＣＲＴ（Ｃａｔｈｏｄｅ　Ｒａｙ　Ｔｕｂｅ）等により構成され、ＣＰＵ１１から入力される表示信号に従って、所要の表示処理を行う。表示部１２における画面表示例を図６〜図１３に示す。
【００２０】
操作部１３は、テンキー、カーソルキー、各種ファンクションキー等を有し、キーの押下による操作信号をＣＰＵ１１に出力する。また、操作部１３は、ポインティングデバイスであるマウスを有し、マウスのクリック操作による操作信号をＣＰＵ１１に出力する。なお、操作部１３は、表示部１２のＬＣＤと一体になったタッチパネルを含んだ構成としてもよい。
【００２１】
メディア入力部１４は、メモリスティック（登録商標）、スマートメディア（登録商標）、コンパクトフラッシュ（登録商標）、マルチメディアカード（登録商標）、ＳＤメモリカード（登録商標）、ＰＣカード等のメモリカードが装着可能な構成となっている。
【００２２】
また、メディア入力部１４は、フィルム画像やプリント画像を読み取るためのスキャナを備えている。このスキャナは、発光部、ＣＣＤ（Ｃｈａｒｇｅ　Ｃｏｕｐｌｅｄ　Ｄｅｖｉｃｅ）、Ａ／Ｄコンバータ（何れも図示略）等を備えている。発光部は、フィルムやプリントに光を照射し、フィルムやプリントに記録された撮影画像を撮像光として出力する。ＣＣＤは、発光部から出力された撮像光（光信号）を光電変換により電気信号（アナログ信号）に変換する。Ａ／Ｄコンバータは、このアナログ信号をデジタル信号（画像データ）に変換する。
【００２３】
記憶部１５は、ＣＰＵ１１により実行される注文データ作成プログラムや注文データ送信プログラム等の各種処理プログラム及びこれらの処理プログラムの実行時に使用されるデータ等を格納している。
【００２４】
通信部１６は、モデム（ＭＯＤＥＭ：Ｍｏｄｕｌａｔｅｒ／ＤＥＭｏｄｕｌａｔｅｒ）、ターミナルアダプタ（Ｔｅｒｍｉｎａｌ　Ａｄａｐｔｅｒ）、ＬＡＮアダプタ等によって構成され、電話回線、ＩＳＤＮ回線、或いは専用線等の通信ネットワークを介して、外部機器との通信を行うための通信制御を行う。注文受付装置１に通信接続される外部機器には、注文受付装置１で作成された注文データに基づいてプリントを生成するラボ内の端末や、プリントサービスを管理している管理サーバ等が含まれる。この管理サーバは、ラボ内に設置されていてもよい。なお、通信部１６は、特許請求の範囲における送信手段としての機能を有する。
【００２５】
次に、本実施の形態の動作を説明する。
図２〜図４のフローチャートを参照して、注文受付装置１において実行される注文受付処理について説明する。以下のフローチャートでは、ポストカードのプリント注文の受付を行う場合について説明する。
【００２６】
プリント注文を行う客は、プリントサービスを提供する写真専門店や取次店の店頭に、注文内容を記入したスタッファとともに、画像データが記録された記録媒体（メモリカード）、撮影画像が記録されたフィルム、プリントの少なくとも一つを持参して、注文を依頼する。ここで、スタッファとは、プリント注文を行うためのカタログ票のことである。このスタッファには、ポストカードで利用可能な各種デザイン及びそれらの識別番号が掲載されているとともに、これらのデザインを参照してプリント注文を行うための記入フォームが設けられている。
【００２７】
まず、注文データ作成プログラムが起動されると、表示部１２には、図６に示すようにスタート画面が表示される（ステップＳ１）。スタート画面には、プリント注文を行うためのボタンとして、「そのままプリントを注文する」ボタン及び「ポストカード＆手づくりプリントを注文する」ボタンが表示されている。ここで、「そのままプリント」とは、ポストカード作成やカレンダー作成等の特定の目的に適用される特殊な処理を行わずに通常のプリントを生成することを示す。また、スタート画面には、注文状況を確認するための「注文状況確認」ボタン及び注文履歴を表示するための「注文履歴」ボタンが表示されている。
【００２８】
客から預かったスタッファに記入された注文内容に基づいて、ポストカードのプリント注文の受付を行う場合、図６のスタート画面において、「ポストカード＆手作りプリントを注文する」ボタンが、マウスのクリック操作により選択される（ステップＳ２）。
【００２９】
注文受付装置１は、プリントサービスを管理している管理サーバから、少なくとも一日に一回は、プリント注文に関する最新情報を取得することになっているが、ステップＳ２でのボタン選択時に、その日の最新情報が未だ取得されていない場合、サーバに接続され、最新情報のダウンロードが開始される。ダウンロードされる最新情報には、ポストカードで利用可能な各種デザインに適用されるオプション機能の料金（技術料金、トリミング料金、文字入れ料金等のオプション料金情報）が含まれる。なお、これらのオプション料金を店側で設定し、店頭料金で提供することが可能である。
【００３０】
図６のスタート画面において、「ポストカード＆手作りプリントを注文する」ボタンが選択されると、図７に示すように、注文者情報・スタッファ情報入力画面が表示される（ステップＳ３）。
【００３１】
図７に示す注文者情報・スタッファ情報入力画面には、プリント注文を行う客（ポストカードの差出人）の氏名及び電話番号の入力欄とともに、「カテゴリ」欄、「ご注文の品番（デザイン番号）」欄及び「オプション」欄が設けられている。ポストカードを作成する場合、「カテゴリ」欄では、結婚用、誕生用、入学用、転居用、書中見舞い用等、ポストカードの用途が選択可能になっている。「ご注文の品番（デザイン番号）」欄では、スタッファに掲載された各種デザインを識別するための番号が選択可能になっている。
【００３２】
「オプション」欄では、「ご注文の品番（デザイン番号）」欄で選択されたデザイン毎に、適用可能なオプション項目が表示される。各オプション項目には、項目を指定するためのチェックボックスが設けられ、デザインに応じて、予め特定の項目がチェックされている。例えば、図７では、デザイン番号３ＰＤ−１３Ｙのデザインに対しては、オプションとして、技術料金、トリミング料金、自由文字入れ料金及び文字入れ料金が適用可能であるが、技術料金及び文字入れ料金が予めチェックされている。このチェックは、店側の判断ではずすことができる。例えば、技術料金を無料にしたい場合は、技術料金項目のチェックをはずすことができる。
【００３３】
図７の注文者情報・スタッファ情報入力画面が表示されると、この画面上で、客から預かったスタッファに記入された内容に基づいて、店員によって、客の氏名及び電話番号が入力されるとともに、カテゴリ、品番及びオプションが選択される（ステップＳ４）。
【００３４】
ステップＳ４における情報入力が終了し、注文者情報・スタッファ情報入力画面において、「次へ」ボタンがクリックされると、表示部１２には、ポストカード作成に必要な編集画面が表示されるとともに（ステップＳ５）、ポストカードに使用するデザインを選択するためのデザイン選択画面（図示略）が表示される（ステップＳ６）。
【００３５】
デザイン選択画面上で、ポストカードに使用するデザインが選択されると（ステップＳ７）、編集画面には、図８に示すように、ステップＳ７で選択されたデザインが表示される。図８では、結婚用のデザインが選択された例を示している。
【００３６】
編集画面の上部には、次の操作を指示するためのメッセージが表示されている。図８では、「左側の「画像を取込む」ボタンをクリックすると、画像取込画面に進みます。」というメッセージが表示されている。このメッセージに従って、左側に表示された「画像を取込む」ボタンがクリックされると（ステップＳ８；ＹＥＳ）、表示部１２には、図９に示すような画像取込方法選択ダイアログが表示される（ステップＳ９）。
【００３７】
図９の画像取込方法選択ダイアログでは、ポストカードに使用する画像を取込む方法を選択するための「ファイルを選択して取り込む」ボタン及び「スキャナから取込む」ボタンが表示されている。「ファイルを選択して取り込む」ボタンは、客が持参したメディア（メモリカード等）の記録内容から所望の画像ファイルを選択して取り込むことを示し、「スキャナから取り込む」ボタンは、客が持参したプリント画像をスキャナにより読み取って取り込むことを示している。
【００３８】
図９の画像取込方法選択ダイアログにおいて、画像の取り込み方法が選択されると（ステップＳ１０）、選択された取り込み方法に従って、メディア入力部１４から、ポストカードに使用される画像が取り込まれる（ステップＳ１１）。画像取り込み後の編集画面の例を図１０に示す。
【００３９】
図１０では、複数の画像が取り込まれた場合を示しており、編集画面上部のメッセージ「フォトフレーム内にはめ込む画像を選択してください。」に従って、これらの画像の中から、ポストカードのフォトフレーム内にはめ込む画像が選択される（ステップＳ１２）。画像選択後の編集画面の例を図１１に示す。
【００４０】
図１１の編集画面に示されたポストカード下部の空欄には、文字を入力することが可能であるため、この編集画面上部には、「右側のボタンで画像位置を調整し、よろしければ、左側の「文字を入れる」ボタンをクリックしてください。」というメッセージが表示される。このメッセージに従って、編集画面左側の「文字を入れる」ボタンがクリックされると（ステップＳ１３；ＹＥＳ）、表示部１２には、図１２に示すような文字入力選択画面が表示される（ステップＳ１４）。
【００４１】
図１２に示す文字入力選択画面では、文字入力形式を選択するために、「差出人情報を入力する（一般）」、「定型で文字を入力する（業務）」、「自由に文字を入力する」、「定型あいさつ文を選ぶ」及び「日付を入力する」の５つのボタンが設けられている。これらのボタンのうちの何れかがクリックされると、対応する文字を入力するための専用のダイアログが表示され、文字入力が行われる（ステップＳ１５）。
【００４２】
ステップＳ１５における文字入力が終了し、編集画面左側の「注文する」ボタンがクリックされると（ステップＳ１６；ＹＥＳ）、表示部１２には、プリント注文する画像を確認するための注文画像確認画面（図示略）が表示される（ステップＳ１７）。注文画像の確認が終了すると、表示部１２には、プリント枚数やはがき種を指定するための入力画面が表示される（ステップＳ１８）。
【００４３】
ステップＳ１８において、プリント枚数やはがき種の指定が終了すると、表示部１２には、図１３に示すように、注文内容を確認するための注文確認画面が表示される（ステップＳ１９）。
【００４４】
図１３に示す注文確認画面では、メニュー項目毎に単価、数量及び料金が表示されている。また、オプションメニュー項目毎に、チェックボックスが設けられ、オプションメニュー項目の追加や削除を可能にしている。図１３に示す注文確認画面において、オプションメニューの追加や削除の最終確定を行うことができる。
【００４５】
注文確認が終了し、注文確認画面の「送信」ボタンがクリックされると、注文データが確定され、表示部１２には、パスワード入力ダイアログ（図示略）が表示され、店員にパスワードの入力が促される。この注文データには、図１３の注文確認画面に示された注文内容のデータの他、ポストカードに使用する画像データが含まれている。また、パスワードは、店毎に設定される。
【００４６】
パスワードが入力されると（ステップＳ２０）、注文データをラボに送信するための送信ファイルが作成される。送信ファイルの作成が終了すると、ＣＰＵ１１によって、注文データ送信プログラムが起動され、作成された送信ファイルに従って、ラボへの注文データの送信（バックグラウンド送信）が開始される（ステップＳ２１）。
【００４７】
注文データの送信が開始されると、表示部１２には、注文終了画面（図示略）が表示され（ステップＳ２２）、スタート画面が表示される（ステップＳ１）。スタート画面が表示されると、次のプリント注文の受付が可能となる。
【００４８】
なお、図４のフローチャートでは、送信ファイルの作成の終了と同時に注文データ送信プログラムが起動する場合を示したが、注文データ送信プログラムが起動するタイミングはこれに限定されない。例えば、一定時間間隔で送信ファイルの作成が終了したか否かをチェックし、このチェックによって送信ファイルの作成が終了したと判断された時点で、注文データ送信プログラムを起動するようにしてもよい。
【００４９】
また、図４のフローチャートにおいて、表示部１２に注文終了画面が表示されて（ステップＳ２２）注文データ作成プログラムが終了しても、ステップＳ２１で開始された注文データの送信は終了せずに続行可能である。図５に、注文データ作成プログラム及び注文データ送信プログラムの進行状況を示す。図５に示すように、注文データ送信プログラムと注文データ作成プログラムは分離され、別々に実行可能であることから、注文終了画面が表示されて、注文データ作成プログラムが終了しても、注文データ送信プログラムによる注文データ送信を続行することができる。
【００５０】
以上のように、本実施の形態の注文受付装置１によれば、注文データ送信プログラムと注文データ作成プログラムが分離されていることから、注文データ送信プログラムの実行に並行して、注文データ作成プログラムを実行できるため、ラボへ注文データを送信している最中であっても、次のプリント注文の受付が可能になる。従って、プリント注文の受付手続の効率化を図ることができる。また、注文データ作成プログラムが終了しても、注文データ送信プログラムによる注文データ送信を続行することができるため、注文データ作成プログラムにより作成された注文データを確実にラボに送信することができる。
【００５１】
なお、本実施の形態における記述内容は、本発明の趣旨を逸脱しない範囲で適宜変更可能である。
【００５２】
例えば、本実施の形態では、ポストカードにおけるプリント注文を行う場合を示したが、本発明は、ポストカード以外のプリント注文においても適用可能である。
【００５３】
【発明の効果】
本発明によれば、注文データの送信が開始されると、他の注文データの作成が可能になることで、プリント注文の受付手続の効率化を図ることができる。また、前の注文手続が終了して次の注文手続が開始されても、前の注文手続で作成された注文データをプリント生成装置に確実に送信することができる。
【００５４】
更に、注文データの作成と、注文データの送信とを分離して実行することにより、注文データの作成が終了しても、注文データ送信を続行することができるため、注文データを確実にプリント生成装置に送信することができる。
【図面の簡単な説明】
【図１】本発明を適用した注文受付装置１の主要部構成を示すブロック図。
【図２】本実施の形態の注文受付装置１において実行される注文受付処理を示すフローチャート。
【図３】本実施の形態の注文受付装置１において実行される注文受付処理を示すフローチャート。
【図４】本実施の形態の注文受付装置１において実行される注文受付処理を示すフローチャート。
【図５】注文データ作成プログラム及び注文データ送信プログラムの進行状況を示す図。
【図６】表示部１２に表示されるスタート画面を示す図。
【図７】注文者情報・スタッファ情報入力画面を示す図。
【図８】デザイン選択後の編集画面を示す図。
【図９】画像取込方法選択ダイアログ画面を示す図。
【図１０】画像取り込み後の編集画面を示す図。
【図１１】画像選択後の編集画面を示す図。
【図１２】文字入力選択画面を示す図。
【図１３】注文内容確認画面を示す図。
【符号の説明】
１　　注文受付装置
１１　ＣＰＵ
１２　表示部
１３　操作部
１４　メディア入力部
１５　記憶部
１６　通信部
１７　バス
【図１】
2004110167.tif 000003
【図２】
2004110167.tif 000004
【図３】
2004110167.tif 000005
【図４】
2004110167.tif 000006
【図５】
2004110167.tif 000007
【図６】
2004110167.tif 000008
【図７】
2004110167.tif 000009
【図８】
2004110167.tif 000010
【図９】
2004110167.tif 000011
【図１０】
2004110167.tif 000012
【図１１】
2004110167.tif 000013
【図１２】
2004110167.tif 000014
【図１３】
2004110167.tif 000015